(57)【要約】【課題】  セラミック基板を使用した加熱装置において、抵抗温度係数が負特性を有する抵抗体の形成を容易にし、非通紙部の昇温を抑える。【解決手段】  セラミック基板の両面に抵抗体を形成し、並列に接続して駆動する。【選択図】  図５
2008268730.tif 000002
【特許請求の範囲】
【請求項１】
絶縁性の基板に抵抗体が印刷形成された加熱手段と、該加熱手段を内包する回転体と、該加熱手段に加圧圧接してニップを形成するための加圧手段を有し、未定着画像を担持した転写材を該加熱手段に当接させながら定着せしめる画像形成装置の加熱装置において、
該加熱手段の抵抗体は、該絶縁性基板の転写材が当接される面と、転写材が当接されない面の各々に形成され、表裏両面の抵抗体を並列に接続して通電し加熱することを特徴とした画像形成装置の加熱装置。
【請求項２】
両面に印刷される抵抗体は負の温度係数を有する材料を使用することを特徴とする請求項１に記載の画像形成装置の加熱装置。
【発明の詳細な説明】
【技術分野】
【０００１】
本発明は画像形成装置内の加熱装置、特にセラミック基板を使用した加熱装置に関する。
【背景技術】
【０００２】
図１はレーザプリンタなどの画像形成装置の断面図であり、本図に於いて、１０は記録紙Ｐを収容する給紙カセットであり、該給紙カセット１０の上部には給紙ローラ１１が設けられており、該給紙ローラ１１の記録紙搬送方向に配置された搬送ローラ１２に向けて駆動手段１３によって記録紙Ｐが搬送される。該搬送ローラ１２の下流には潜像が形成される感光ドラム１４が設けられており、搬送ローラ１２は感光ドラム１４の画像形成動作とのタイミングをとりながら記録紙Ｐを感光ドラム１４に搬送する。感光ドラム14は一次帯電器８によって一様に帯電されており、不図示外部装置からの画像信号により半導体レーザ３がON／OFFし、レーザービームがポリゴンミラー１に照射され、その反射光が結像レンズ４及び反射ミラー５を介して感光ドラム１４上に照射されると、感光ドラム１４の表面には画像信号に対応した潜像が形成され、この潜像は現像装置２０によって現像されて可視像として顕像化される。そしてこの可視像は搬送された記録紙Ｐ上に転写ローラ１５によって転写される。
【０００３】
可視像を転写された記録紙Ｐは熱定着装置１８へ向けて搬送され、記録紙Ｐ上の可視像は定着装置１８に於いて永久画像として定着される。画像が定着した記録紙Pは排紙ローラ１７によって機外に排出され、排紙トレイ１９上に積載される。
【０００４】
図２は熱定着装置の内部断面図であり、本図に於いて、２０はセラミック等の絶縁性基板、２１は基板上に印刷焼成された商用電源で駆動される発熱抵抗パターン、２２は発熱抵抗パターン２１を保護するための保護ガラス、２３はセラミック基板２０を保持する保持部材である。２４は耐熱性フィルムであり加圧ローラ２５で加圧密着させて摺動搬送させ、耐熱性フィルム２４を挟んで基板２０と加圧ローラ２５で圧接ニップ部が形成される。未定着画像が描かれた記録紙などの被加熱材は、不図示紙搬送手段により耐熱性フィルム２４と加圧ローラ２５との間に導入され、加圧ローラ２５により耐熱性フィルム２４とともに圧接ニップ部内を搬送され、発熱抵抗パターン２１の熱が保護ガラス２２と耐熱性フィルム２４を介して伝えられることで未定着画像が記録紙上に定着される。２６は発熱抵抗パターン２１の異常昇温を防止するための温度ヒューズであり、押圧部材２７によって基板２０に押圧されている。
【０００５】
図３は熱定着装置の駆動回路図であり、３０は商用電源、３１は抵抗発熱体を備えたセラミックヒータ、３２は温度検出素子、３３は本体動作を司るCPUであり温度検出素子３２の温度情報を元に駆動素子３４をオンオフすることによって一定温度に制御する。３５は保護装置である温度ヒューズであり、何らかの原因によりヒータが異常高温になった場合電源を遮断するように配置されている。
【０００６】
図４は従来のヒータ基板の構成図であり、４０がセラミック等の絶縁基板、４１は基板上に印刷焼成された抵抗パターン、４２は抵抗パターン４１に電力を供給するための導電パターンでありこれらパターンの上には保護ガラス４３が印刷形成されている。
【０００７】
抵抗パターンとして使用する材料は銀、パラジウムから構成され、抵抗温度係数として1000ppm/℃という特性を持っている。
【特許文献１】特公平８−２３７２２号公報
【発明の開示】
【発明が解決しようとする課題】
【０００８】
しかしながら従来例の構成では、幅の最も広い用紙に合わせて抵抗体を形成するため、幅の狭い紙を通紙した場合、用紙が通過しない部分の温度が異常に上がってしまうという問題があった。
【０００９】
これは、用紙が通過しない部分の抵抗値は温度係数により増加する為、発熱量がさらに増加するという正帰還がかかり異常発熱するというメカニズムである。
【００１０】
これを改善する手段として、グラファイト等の抵抗温度係数が負特性をもつ材料を使用する方法が考えられている。
【００１１】
しかしながら、一般的に負特性の材料は体積抵抗が非常に高いため、所望の抵抗値を得るためには厚みを１００μm以上に増やさなければならず、印刷形成するのが非常に困難であった。
【００１２】
もう一つの手段として発熱体の幅、もしくは長さを増やす手段があるが、装置が大型化してしまいコストも増大するという欠点があり実用されていない状況である。
【課題を解決するための手段】
【００１３】
上述の課題を解決するための本発明は、絶縁性の基板に抵抗体が印刷形成された加熱手段と、該加熱手段を内包する回転体と、該加熱手段に加圧圧接してニップを形成するための加圧手段を有し、未定着画像を担持した転写材を該加熱手段に当接させながら定着せしめる画像形成装置の加熱装置において、該加熱手段の抵抗体は、該絶縁性基板の転写材が当接される面と、転写材が当接されない面の各々に形成され、表裏両面の抵抗体を並列に接続して通電し加熱することを特徴とする。
【発明の効果】
【００１４】
印刷により抵抗体の形成を可能とし、装置を大型化することなく、所望の負の抵抗温度係数を有した抵抗体を形成した加熱装置を提供できる。
【発明を実施するための最良の形態】
【００１５】
本発明における画像形成装置の加熱装置は、セラミック基板の両面（転写材通過面とその反対面）に抵抗体を印刷して構成し、並列に接続する構成とする。
【００１６】
本発明の実施例を図５を用いて説明する。図５（ａ）は本実施例を示す図であり、図４と同じ機能を有するものは同一番号を付与し説明を省略する。５０表面と裏面の電極を接続するためのスルーホールであり、商用電源に対して並列に接続されるように構成され、その合成抵抗値が所望の抵抗値となるように形成される。
【００１７】
図５（ｂ）に断面図をしめす。図５と同じものは同じ番号を付与している。
【００１８】
このように基板の両面に印刷することで発熱体の幅を２倍にすることが出来るため、所望の抵抗値を得るための印刷の厚みは、従来例で同じ抵抗値を得るための厚みの半分ですむことになる。
【００１９】
両面の抵抗値を夫々同じ値とすることで、表面と裏面の温度差がなく温度制御も容易になる。
【００２０】
尚、本実施例はスルーホールを用いているが、コネクタによる接続でも問題ない。
【図面の簡単な説明】
【００２１】
【図１】画像形成装置の断面図。
【図２】熱定着装置の断面図。
【図３】従来例を説明するブロック図。
【図４】従来例を説明する断面図。
【図５】本発明の実施例を説明する図。
【符号の説明】
【００２２】
１３  搬送モータ
１４  感光体
１５  転写ローラ
１８  熱定着装置
２６  温度ヒューズ
２７  押圧部材
５０〜５４  抵抗パターン
５５  保護ガラス
【図１】
2008268730.tif 000003
【図２】
2008268730.tif 000004
【図３】
2008268730.tif 000005
【図４】
2008268730.tif 000006
【図５】
2008268730.tif 000007